(57)【要約】【課題】  画像保有者が比較的簡単な操作でイベント画像を公開でき、かつ画像閲覧者も公開された画像の中から閲覧したい画像を比較的に簡単に見付けることができるシステムを提供する。【解決手段】  画像登録端末３とフォトアルバムサイト５と画像閲覧端末６とＳＮＳ管理端末７とオンラインプリントサイト８から成り、フォトアルバムサイト５は画像登録端末３から送信されたＩＤを照合するＩＤ照合手段５１２と送信された画像データを記録する画像データ記録手段５１３と画像データのヘッダ部にある付帯情報を記録する画像付帯情報記録手段５１４と公開された画像を画像登録者単位、カテゴリ単位、グループ単位のいずれかで該利用者に表示する画像表示手段５２１と、公開された画像を該利用者が該画像付帯情報を利用して検索できる画像検索手段５２３とを設ける。【選択図】      図１
2008197968.tif 000002
【特許請求の範囲】
【請求項１】
結婚式や運動会などのイベントにて撮影されたデジタル画像を、画像登録者が指定した利用者にインターネット上にて公開するイベント画像公開システムであって、
画像登録者が撮影した画像をフォトアルバムサイトまたはＳＮＳサイトのサーバ装置に転送する画像登録端末と、この画像登録端末から転送された画像を画像登録者に指定された利用者に公開する前記サーバ装置と、該利用者が公開された画像を閲覧する画像閲覧端末と、この画像閲覧端末からのプリント注文依頼を受付けるオンラインプリントサイトと、フォトアルバムサイトまたはＳＮＳサイトを管理するＳＮＳ管理端末から成り、
前記画像登録端末は、デジタルカメラ等の画像撮影端末で撮影した画像が保存された記録媒体または画像撮影端末自身のＩＤを読み取るＩＤ読取手段と、前記記録媒体から画像データを取得する画像データ取得手段と、取得した画像データのヘッダ部に前記ＩＤを付加して前記サーバ装置に送信する送信手段とを備え、
前記サーバ装置は、前記画像登録端末から送信されたＩＤが登録済みであるか否かを記録媒体ＩＤ管理テーブルに登録されたＩＤと照合し、未登録であれば受信したＩＤを記録媒体ＩＤ管理テーブルに登録した後、ユーザＩＤを発行し、かつ当該ユーザＩＤに対応した画像フォルダを画像データベース内に新規作成し、前記画像登録端末に対して画像データの送信先の画像フォルダを通知し、前記画像登録端末から送信されたＩＤが登録済みであった場合には前記画像登録端末に対して画像データの送信先のフォルダを通知するＩＤ照合手段と、前記画像登録端末から送信された画像データを前記ユーザＩＤに対応した画像フォルダに記録する画像データ記録手段と、登録された画像を画像登録者が指定した利用者の画像閲覧端末からの閲覧要求に応じて送信する画像公開手段とを備え、
前記画像閲覧端末は、前記サーバ装置に対して画像データの閲覧要求を送信し、前記サーバ装置から受信した画像データを表示する画像閲覧手段とを備え、
前記ＳＮＳ管理端末は、前記サーバ装置が提供するオンラインフォトアルバムやＳＮＳ等の画像公開サービスを管理するＳＮＳ管理手段とを備えることを特徴とするイベント画像公開システム。
【請求項２】
前記サーバ装置の画像公開手段は、前記利用者の画像閲覧端末からの閲覧要求で指定された閲覧条件に従い前記画像データに付加された付帯情報を検索し、閲覧条件に合致する付帯情報が付加された画像データを前記画像データベースから取得し、閲覧要求元の画像閲覧端末に送信する検索手段を備えることを特徴とする請求項１に記載のイベント画像公開システム。
【請求項３】
前記サーバ装置は、前記利用者の画像閲覧端末から公開された画像のプリント注文を受け付け、オンラインプリントサイトに対しプリント注文を送信するプリント注文受付手段とをさらに備えることを特徴とする請求項１または２に記載のイベント画像公開システム。
【請求項４】
前記サーバ装置の画像公開手段は、画像登録者単位に画像を編集して画像閲覧端末に送信する手段を備えることを特徴とする請求項１〜３のいずれか一項に記載のイベント画像公開システム。
【請求項５】
前記サーバ装置の画像公開手段は、コミュニティを時間により細分化したカテゴリ単位に画像を編集して画像閲覧端末に送信する手段を備えることを特徴とする請求項１〜３のいずれか一項に記載のイベント画像公開システム。
【請求項６】
前記サーバ装置の画像公開手段は、画像登録者が所属するグループ単位に画像を編集して画像閲覧端末に送信する手段を備えることを特徴とする請求項１〜３のいずれか一項に記載のイベント画像公開システム。
【請求項７】
前記サーバ装置の画像公開手段は、画像登録者単位、カテゴリ単位、グループ単位の画像表示形態を切り替える手段を備えることを特徴とする請求項４〜６のいずれか一項に記載のイベント画像公開システム。
【発明の詳細な説明】
【技術分野】
【０００１】
本発明は、デジタルカメラやカメラ付携帯電話等で撮影された画像を公開する方法及びそのシステムに係わり、特に結婚式や運動会などのイベントにて撮影された画像を公開するシステムに関するものである。
【背景技術】
【０００２】
デジタルカメラやカメラ付携帯電話の普及および高画素化により、結婚式、運動会、観光などの様々なイベントがデジタルカメラやカメラ付携帯電話にて撮影されている。
このイベント画像は、画像保有者自身で閲覧されるだけでなく、ＣＤ−Ｒ等の記録媒体に記録またはＥメールに添付されて関係者に配布、あるいはインターネット上のサイトにアップロードされ、画像登録者が指定した利用者に公開されている。
従来から、画像保有者がインターネット上で画像を公開するためのサイトとして、オンラインフォトアルバムサイトが知られている（特許文献１参照）。
【０００３】
また、近年のブログやＳＮＳ（Social Networking Service）といったユーザ参加型サービスの普及により、オンラインフォトアルバム機能とＳＮＳ機能とが融合したＳＮＳサイトも登場し、画像公開の場として利用されつつある（現行サービスの例として、非特許文献１、非特許文献２参照）。
【０００４】
このような画像公開サービスにおいては、画像を画像登録者と利用者とで共有するには以下の手順が必要となっている。
まず、画像を公開したい画像登録者は上記サイトに利用者登録する。
次に、公開画像を管理するためのフォトアルバムを作成し、画像登録者所有のコンピュータ端末に保存された公開したい画像をそのアルバムにアップロードする。
最後に、そのアルバムを利用者に公開する。
【０００５】
【特許文献１】特開２００３−１０８８１５号公報
【非特許文献１】フォト蔵、インターネット＜http://photozou.jp/＞
【非特許文献２】フォトプラザ、インターネット＜http://photoplaza.jp/home＞
【発明の開示】
【発明が解決しようとする課題】
【０００６】
しかしながら、従来の画像公開サービスにおいては、画像登録者が画像を公開して利用者に閲覧させるためには、公開したい画像をアップロードする以前に、そのサービスサイトに利用者登録したり、フォトアルバムを作成したりする必要があるため、画像の公開自体が非常に煩わしいものとなっていた。
また、画像を公開された利用者は、画像登録者が作成したフォトアルバム単位でしか画像を閲覧することができないため、例えば結婚式における新郎新婦入場シーンの画像を利用者が閲覧したいと思っても、画像登録者が個々に作成したアルバムを順次閲覧する以外に方法はなかった。
さらに、そのような画像を探すための情報がアルバムや画像に保持されていない、あるいは保持する機構があっても画像登録者が登録していないために、目的とする画像を容易に検索することができなかった。
【０００７】
本発明は、上記従来技術の問題点を解決するためになされたものであり、その目的とするところは、画像登録者が比較的簡単な操作でイベント画像を公開でき、かつ利用者も公開された画像の中から閲覧したい画像を比較的に簡単に見付けることができイベント画像公開システムを提供することにある。
【課題を解決するための手段】
【０００８】
上記目的を達成するために、本発明のイベント画像公開システムは、結婚式や運動会などのイベントにて撮影されたデジタル画像を、画像登録者が指定した利用者にインターネット上にて公開するイベント画像公開システムであって、
画像登録者が撮影した画像をフォトアルバムサイトまたはＳＮＳサイトのサーバ装置に転送する画像登録端末と、この画像登録端末から転送された画像を画像登録者に指定された利用者に公開する前記サーバ装置と、該利用者が公開された画像を閲覧する画像閲覧端末と、この画像閲覧端末からのプリント注文依頼を受付けるオンラインプリントサイトと、フォトアルバムサイトまたはＳＮＳサイトを管理するＳＮＳ管理端末から成り、
前記画像登録端末は、デジタルカメラ等の画像撮影端末で撮影した画像が保存された記録媒体または画像撮影端末自身のＩＤを読み取るＩＤ読取手段と、前記記録媒体から画像データを取得する画像データ取得手段と、取得した画像データのヘッダ部に前記ＩＤを付加して前記サーバ装置に送信する送受信手段とを備え、
前記サーバ装置は、前記画像登録端末から送信されたＩＤが登録済みであるか否かを記録媒体ＩＤ管理テーブルに登録されたＩＤと照合し、未登録であれば受信したＩＤを記録媒体ＩＤ管理テーブルに登録した後、ユーザＩＤを発行し、かつ当該ユーザＩＤに対応した画像フォルダを画像データベース内に新規作成し、前記画像登録端末に対して画像データの送信先の画像フォルダを通知し、前記画像登録端末から送信されたＩＤが登録済みであった場合には前記画像登録端末に対して画像データの送信先のフォルダを通知するＩＤ照合手段と、前記画像登録端末から送信された画像データを前記ユーザＩＤに対応した画像フォルダに記録する画像データ記録手段と、登録された画像を画像登録者が指定した利用者の画像閲覧端末からの閲覧要求に応じて送信する画像公開手段とを備え、
前記画像閲覧端末は、前記サーバ装置に対して画像データの閲覧要求を送信し、前記サーバ装置から受信した画像データを表示する画像閲覧手段とを備え、
前記ＳＮＳ管理端末は、前記サーバ装置が提供するオンラインフォトアルバムやＳＮＳ等の画像公開サービスを管理するＳＮＳ管理手段とを備えることを特徴とする。
【０００９】
また、前記サーバ装置の画像公開手段は、前記利用者の画像閲覧端末からの閲覧要求で指定された閲覧条件に従い前記画像データに付加された付帯情報を検索し、閲覧条件に合致する付帯情報が付加された画像データを前記画像データベースから取得し、閲覧要求元の画像閲覧端末に送信する検索手段を備えることを特徴とする。
【００１０】
また、前記サーバ装置は、前記利用者の画像閲覧端末から公開された画像のプリント注文を受け付け、オンラインプリントサイトに対しプリント注文を送信するプリント注文受付手段とをさらに備えることを特徴とする。
【００１１】
また、前記サーバ装置の画像公開手段は、画像登録者単位に画像を編集して画像閲覧端末に送信する手段を備えることを特徴とする。
また、前記サーバ装置の画像公開手段は、コミュニティを時間により細分化したカテゴリ単位に画像を編集して画像閲覧端末に送信する手段を備えることを特徴とする。
また、前記サーバ装置の画像公開手段は、画像登録者が所属するグループ単位に画像を編集して画像閲覧端末に送信する手段を備えることを特徴とする。
【００１２】
また、前記サーバ装置の画像公開手段は、画像登録者単位、カテゴリ単位、グループ単位の画像表示形態を切り替える手段を備えることを特徴とする。
【発明の効果】
【００１３】
本発明のイベント画像公開システムによれば、次のような効果がある。
（１）撮影画像を記録した外部記録媒体を画像登録端末の読取装置に接続すると、その記録媒体内の全画像ファイルが自動的にフォトアルバムサイトのサーバ装置へアップロードされるため、画像保有者がコンピュータ端末上の画像ファイルをネットワーク経由でフォトアルバムサイトのサーバ装置へアップロードする作業の煩雑さを軽減することが可能となる。
（２）画像ファイルの付帯情報が各撮影画像に付加されてアップロードされるため、画像保有者がフォトアルバムサイト等にて別途付帯情報を登録する作業の煩雑さを軽減することが可能となる。
また、その画像を公開された画像閲覧者も、その付帯情報によって画像を容易に検索できるようになり、画像を検索する作業の煩雑さを軽減することが可能となる。
（３）公開された画像は、画像登録者単位、カテゴリ単位、ユーザグループ単位で閲覧することができるため、複数の画像登録者のフォトアルバムを順次閲覧する煩雑さを軽減することが可能となる。
【発明を実施するための最良の形態】
【００１４】
以下、本発明を適用したイベント画像公開システムの一実施の形態について説明する。
図１は、本発明の実施の形態の一例を示すシステム構成図である。
この実施形態におけるイベント画像公開システムは、フォトアルバムサイト利用者が画像のアップロードを行う画像登録端末３と、フォトアルバムサイト利用者がアルバム画像の閲覧、ダウンロード、プリント注文等を行うコンピュータ端末６ａ、ＰＤＡ６ｂ、携帯電話６ｃ等の画像閲覧端末６と、画像の保管、公開、画像に関する各種サービスの提供等を行うフォトアルバムサイト５と、オンラインフォトアルバムやＳＮＳ等の画像公開サービスの管理を行うＳＮＳ管理端末７と、画像のプリントサービスを提供するオンラインプリントサイト８から構成され、この画像登録端末３と画像閲覧端末６とＳＮＳ管理端末７とフォトアルバムサイト５とオンラインプリントサイト８は、インターネット４にて接続されている。
【００１５】
また、デジタルカメラ１ａ、カメラ付携帯電話機１ｂ、非接触ＩＣ内蔵カメラ付携帯電話１ｃ等の画像撮影端末１にて撮影された画像は、デジタルカメラ１ａ、カメラ付携帯電話機１ｂの場合はＩＤ機能付記録媒体２経由、非接触ＩＣ内蔵カメラ付携帯電話機１ｃの場合は非接触ＩＣの無線回線経由にて画像登録端末３に引き渡される。このＩＤ機能付記録媒体２には例えばＳＤカード（登録商標）等のフラッシュメモリカードがあり、非接触ＩＣには例えばＦｅｌｉＣａ（商標）がある。
【００１６】
図２は、画像登録端末３の例を示すブロック図である。
この画像登録端末３は、例えばキーボードやタッチパネル式ディスプレイのようなユーザからの入力を受け付ける入力装置３１と、処理結果を画面に表示する表示装置３２と、デジタルカメラ１ａ、カメラ付携帯電話機１ｂ等にて撮影された画像が保存されたＩＤ機能付記録媒体２から画像を読み取る記録媒体読取装置３３と、非接触ＩＣ内蔵カメラ付携帯電話機１ｃにて撮影された画像を読み取る非接触ＩＣ読取装置３４と、フォトアルバムサイトへの画像登録結果を出力する出力装置３５と、フォトアルバムサイト５と通信を行う通信装置３６と、これら装置の制御等を行う制御装置３７とから構成される。
この画像登録端末３は、例えばカメラ量販店または写真専門店の店頭に設置され、ユーザからプリント注文を受け付けるキオスク端末（ネットワークに接続された種々の情報を扱う端末）に相当する。このキオスク端末には、例えばプリンチャオ（商標）やＬｏｐｐｉ（商標）がある。
【００１７】
この制御装置３７には、記録媒体読取装置３３に接続されたＩＤ機能付記録媒体２からＩＤ情報等を読み取る記録媒体ＩＤ読取部３７３と、非接触ＩＣ読取装置３４経由にてＩＣ情報を読み取る非接触ＩＣ読取部３７５と、ＩＤ機能付記録媒体２から画像ファイルを読み取る、または非接触ＩＣ内蔵カメラ付携帯電話機１ｃから画像ファイルを読み取る画像データ取得部３７４と、それらデータをフォトアルバムサイト５に送信する送受信部３７６が設けられている。
また、制御装置３７には、フォトアルバムサイト５から受信した画像登録結果情報とコミュニティ情報を編集する出力情報編集部３７７と、出力装置３５にその編集結果を出力する出力部３７８が設けられている。
さらに、制御装置３７には、入力装置３１からのユーザ入力情報を受け付ける入力受付部３７１と、表示装置３２へ画面表示情報を出力する表示部３７２が設けられている。
この制御装置３７は、具体的にはＣＰＵによって実行される画像処理プログラムによって実現されている。
【００１８】
図３は、フォトアルバムサイトの例を示すブロック図である。
このフォトアルバムサイト５は、画像登録端末３から依頼された画像登録処理を行う画像登録プログラム５１と、画像閲覧端末６からの画像閲覧要求を受け付け、その結果を送信する画像閲覧処理プログラム５２と、フォトアルバムサイトに関連するデータを保持するＤＢ群５３と、ＳＮＳ管理端末７からのコミュニティ新規作成等のＳＮＳ管理要求を受け付け、その結果を送信するＳＮＳ管理処理プログラム５４とを備えている。
この画像登録プログラム５１には、画像登録端末３とデータの送受信を行う送受信部５１１と、画像登録端末３から送信された記録媒体ＩＤを記録媒体ＩＤ情報格納部５３１に記録された記録媒体ＩＤと照合する記録媒体ＩＤ照合部５１２と、画像ファイルを記録する画像データ記録部５１３と、画像データの付帯情報を記録する画像付帯情報記録部５１４と、記録された画像をオーナー（画像登録者）が指定したゲストに公開する画像公開部５１５が設けられている。
【００１９】
また、画像閲覧プログラム５２には、公開された画像を画像登録者単位、カテゴリ単位、ユーザグループ単位のいずれかの単位で画像閲覧端末６に転送して表示するためにデータを編集する画像表示部５２１と、その画像表示単位の切り替えを提供する画像表示単位切替部５２２と、画像の付帯情報を利用した画像検索機能を提供する画像検索部５２３と、公開された画像のオリジナルデータを画像閲覧端末６に送信する画像送信部５２４と、公開された画像のプリント注文を受け付け、オンラインプリントサイト８に画像データとプリント注文を転送するプリント注文受付部５２５が設けられている。
【００２０】
ＤＢ群５３には、画像の保管、公開、画像に関するサービスの提供等に必要な情報が管理された、記録媒体ＩＤ情報格納部５３１と、ユーザ情報格納部５３２、コミュニティ情報格納部５３３、フォトアルバム情報格納部５３４と、画像情報格納部５３５と、画像付帯情報格納部５３６が設けられている。
ＳＮＳ管理プログラム５４には、ＳＮＳならびに画像に関するサービスやそのサービスに必要な情報を管理するＳＮＳ管理部５４１が設けられている。
【００２１】
図４は、コミュニティ情報格納部５３３に格納されるコミュニティ管理テーブルの例を示す図である。
図４に示すように、コミュニティ管理テーブルは、コミュニティＩＤ５３３１と、コミュニティ名５３３２と、事業者ＩＤ５３３３と、コミュニティ所有者ＩＤ５３３４と、代表画像ＩＤ５３３５とコメント５３３６から構成され、コミュニティを一意に識別するためのＩＤと、図１３のフォトアルバム一覧画面（アルバム表示）Ｌ１１等に表示するためのコミュニティ名称と、コミュニティ所有者を識別するためのＩＤと、フォトアルバム一覧画面（アルバム表示）Ｌ１１等にコミュニティを代表する画像を表示するための画像ＩＤと、フォトアルバム一覧画面（アルバム表示）Ｌ１１等に表示するコメントが登録される。
ここで例えば、ブライダルサービス事業者がＳＮＳ管理端末７にて画像公開希望者Ａ氏をコミュニティ所有者とするコミュニティを新規作成した場合、図４に示すように、コミュニティＩＤ５３３１にはＳＮＳ管理部５４１が自動発番した管理番号「Ａ００１」、コミュニティ名５３３２にはＡ氏が希望したコミュニティ名称「ＡＢＣコミュニティ」、事業者ＩＤ５３３３にはブライダルサービス事業者を表す「Ｓ００１」、コミュニティ所有者ＩＤ５３３４にはＡ氏を表すユーザＩＤ「Ｕ００１」が登録される。代表画像ＩＤ５３３５とコメント５３３６はコミュニティ新規作成時には登録されず、コミュニティ所有者であるＡ氏により別途登録される。
なお、代表画像ＩＤ５３３５は、Ａ氏が代表画像ＩＤ５３３５を登録していない場合に限り、該コミュニティに最初に登録された画像（図４の例では「Ｉ００１」）がＳＮＳ管理部５４１にて自動登録されるが、コミュニティ所有者によって変更可能である。
【００２２】
図５は、記録媒体ＩＤ情報格納部５３１に格納される記録媒体ＩＤ管理テーブルの例を示す図である。
図５に示すように、記録媒体ＩＤ管理テーブルは、記録媒体ＩＤ５３１１と、ユーザＩＤ５３１２から構成され、画像登録端末３から送信された記録媒体ＩＤと、フォトアルバムサイト利用者を一意に識別するために本システムが自動的に割り当てたＩＤが登録される。
ここで例えば、画像公開希望者Ａ氏が記録媒体Ｘおよび記録媒体Ｙにて画像を登録する場合、記録媒体Ｘの接続時には記録媒体ＩＤ５３１１には「Ｚ００１」、ユーザＩＤ５３１２には「Ｕ００１」が、記録媒体Ｙの登録時には記録媒体ＩＤ５３１１には「Ｚ００２」、ユーザＩＤ５３１２には「Ｕ００４」がそれぞれ登録される。この場合、画像公開希望者Ａ氏は「Ｕ００１」および「Ｕ００４」という２つのユーザＩＤを所持することとなるが、図５に示すように、Ａ氏はユーザＩＤを「Ｕ００４」から「Ｕ００１」に別途変更することでユーザＩＤを統合することができる。
【００２３】
図６は、フォトアルバム情報格納部５３４に格納されるアルバム管理テーブルの例を示す図である。
図６に示すように、アルバム管理テーブルは、コミュニティＩＤ５３４１と、アルバムＩＤ５３４２と、アルバム名５３４３と、アルバム所有者ＩＤ５３４４と、フォルダパス５３４５と、フォルダ名５３４６から構成され、コミュニティを一意に識別するためのＩＤと、フォトアルバムを一意に識別するためのＩＤと、図１６に示す画像一覧画面Ｌ１４等に表示するためのアルバム名称と、フォトアルバム所有者を識別するためのＩＤと、画像ファイルを記録するためのフォルダパス情報（フォルダパス、フォルダ名）が登録される。
【００２４】
図７は、画像情報格納部５３５に格納される画像管理テーブルの例を示す図である。
図７に示すように、画像管理テーブルは、アルバムＩＤ５３５１と、画像ＩＤ５３５２と、画像所有者ＩＤ５３５３と、画像ファイル名５３５４と、コメント５３５５から構成され、フォトアルバムを一意に識別するためのＩＤと、画像データを一意に識別するためのＩＤと、画像所有者を識別するためのＩＤと、画像のファイル名称と、図１６の画像一覧画面Ｌ１４等に表示するためのコメントが登録される。
【００２５】
図８は、画像付帯情報格納部５３６に格納される画像付帯情報管理テーブルの例を示す図である。
図８に示すように、画像付帯情報管理テーブルは、画像ＩＤ５３６１と、画素数５３６２と、カメラの製造元５３６３と、カメラのモデル５３６４と、著作権５３６５と、写真の撮影日５３６６と、撮影位置（ＧＰＳ位置）５３６７から構成され、画像データを一意に識別するためのＩＤと、画像データのＥｘｉｆ（Exchangeable Image File Format）タグから抽出した画素数、カメラの製造元、カメラのモデル、著作権、写真の撮影日、撮影位置（ＧＰＳ位置）が付帯情報として登録される。
【００２６】
図９は、ユーザがフォトアルバムサイトに画像をアップロードする際に、ユーザ、画像登録端末３、フォトアルバムサイト５がどのような順序で処理を行うかを示したフローチャートである。
ユーザが画像公開サービス提供事業者またはコミュニティ所有者から通知されたＵＲＬにてフォトアルバムサイトへアクセス、もしくは写真量販店などの店頭に設置された画像登録端末３で所定の操作を行うと、画像登録端末３は図４のコミュニティ管理テーブルから自事業者の事業者ＩＤが登録されたコミュニティを抽出し、コミュニティ一覧として表示装置３２に表示する。
【００２７】
ユーザは、表示装置３２に表示されたコミュニティ一覧から、画像をアップロードしたいコミュニティを選択し（ステップＳ１１）、デジタルカメラ１ａまたはカメラ付携帯電話機１ｂで撮影した画像の場合は、ＩＤ機能付記録媒体２を記録媒体読取装置３３に接続し、非接触ＩＣ内蔵カメラ付携帯電話機１ｃで撮影した画像の場合は、その非接触ＩＣ内蔵カメラ付携帯電話機１ｃを非接触ＩＣ読取装置３４にかざす（ステップＳ１２）。
【００２８】
画像登録端末３の記録媒体ＩＤ読取部３７３はＩＤ機能付記録媒体２と記録媒体読取装置３３の接続を検知すると、記録媒体ＩＤ読取部３７３がＩＤ機能付記録媒体２のＩＤを読み取り、送受信部３７６がフォトアルバムサイト５に記録媒体ＩＤを送信する。あるいは、非接触ＩＣ読取部３７５は非接触ＩＣ内蔵カメラ付携帯電話機１ｃが非接触ＩＣ読取装置３４にかざされたことを検知すると、非接触ＩＣ読取部３７５は非接触ＩＣ内蔵カメラ付携帯電話機１ｃのＩＣメモリに登録されているＩＤを読み取り、送受信部３７６がフォトアルバムサイト５に記録媒体ＩＤを送信する（ステップＳ１３）。
【００２９】
フォトアルバムサイト５の送受信部５１１は記録媒体ＩＤを受信すると、記録媒体ＩＤ照合部５１２は受信した記録媒体ＩＤと図５の記録媒体ＩＤ管理テーブルに登録されている記録媒体ＩＤ５３１１とを照合し、画像アップロード先のフォルダ等のアップロード先情報を特定する（ステップＳ１４、詳細は図１０参照）。
次に、そのアップロード先情報を画像登録端末３に返信する（ステップＳ１５）。
【００３０】
画像登録端末３の画像データ取得部３７４は、ＩＤ機能付記録媒体２または非接触ＩＣ内蔵カメラ付携帯電話機１ｃの画像記録領域からアップロード対象となる画像ファイルを選定し（ステップＳ１６）、フォトアルバムサイト５のアップロード先に画像ファイルをアップロードする（ステップＳ１７）。
【００３１】
フォトアルバムサイト５の送受信部５１１が画像ファイルを受信すると、画像付帯情報記録部５１４が受信した画像ファイルのヘッダ部にあるＥｘｉｆタグから写真の撮影日や撮影位置情報などの画像付帯情報を抽出し、画像付帯管理テーブルに登録すると共に、画像データ記録部５１３が画像ファイル自体を画像情報格納部５３５に登録する。この処理はアップロードされた画像ファイル数分繰り返される（ステップＳ１８）。
【００３２】
全アップロード画像の登録処理が完了すると、送受信部５１１は個々の画像ファイルに対する登録結果（ＯＫまたはＮＧ）と、フォトアルバムサイトのＵＲＬ、コミュニティ名、ユーザ名等のフォトアルバムにアクセスするための情報を画像登録端末３に送信する（ステップＳ１９）。
【００３３】
画像登録端末３の送受信部３７６が画像登録結果とコミュニティ情報を受信すると、出力情報編集部３７７がその受信情報を出力する帳票レイアウトに合わせて編集し、出力部３７８が出力装置３５に出力する（ステップＳ２０）。
ユーザは、出力されたコミュニティ情報を受け取った後、ＩＤ機能付記録媒体２を記録媒体読取装置３３から取り外す、または非接触ＩＣ内蔵カメラ付携帯電話１ｃを非接触ＩＣ内蔵読取装置３４から離す（ステップＳ２１）。
【００３４】
図１０は、記録媒体ＩＤの照合処理（ステップＳ１４）を詳細に示したフローチャートである。
画像登録端末３からフォトアルバムサイト５に送信された記録媒体ＩＤは、記録媒体ＩＤ照合部５１２にて図５の記録媒体ＩＤ管理テーブルに登録された記録媒体ＩＤ５３１１のデータと照合される（ステップＳ１４１）。
その結果、未登録である場合は、記録媒体ＩＤ管理テーブルの記録媒体ＩＤ５３１１にその記録媒体ＩＤが登録され（ステップＳ１４２）、新規ユーザＩＤが発行される（ステップＳ１４３）。
【００３５】
発行されたユーザＩＤは、記録媒体ＩＤ管理テーブルのユーザＩＤ５３１２に登録されると同時に、図６のアルバム管理テーブルのアルバム所有者ＩＤ５３４４にも登録され、フォトアルバムサイト５の画像保管領域にユーザ個別のフォルダパスが割り当てられ、新規フォルダが作成される（ステップＳ１４４）。
一方、記録媒体ＩＤが登録済みである場合は、図５の記録媒体ＩＤ管理テーブルの記録媒体ＩＤ５３１１からユーザＩＤを特定し（ステップＳ１４５）、そのユーザＩＤから図６のアルバム管理テーブルのフォルダパス５３４５およびフォルダ名５３４６を特定する（ステップＳ１４６）。
【００３６】
図１１は、カテゴリ管理テーブルの例を示す図である。
図１１に示すように、カテゴリ管理テーブルは、コミュニティＩＤ５３７１と、カテゴリＩＤ５３７２と、カテゴリ名５３７３と、開始日時５３７４と終了日時５３７５から構成され、コミュニティを一意に識別するためのＩＤと、カテゴリを一意に識別するためのＩＤと、図１４のフォトアルバム一覧画面（カテゴリ表示）Ｌ１２に表示するためのカテゴリ名、該コミュニティ内の画像をグルーピングするために利用する期間（開始日時、終了日時）が登録される。
ここで例えば、コミュニティ所有者Ａ氏がＳＮＳ管理端末７にて「ＡＢＣコミュニティ」のカテゴリとして「挙式」を新規登録した場合、図１１に示すように、コミュニティＩＤ５３７１には「ＡＢＣコミュニティ」を表すＩＤ「Ａ００１」、カテゴリＩＤ５３７２にはＳＮＳ管理部５４１が自動発番した管理番号「Ｃ００２」、カテゴリ名５３７３にはコミュニティ所有者Ａ氏がフォトアルバム一覧画面（カテゴリ表示）Ｌ１２に表示するために登録した名称「挙式」、開始日時５３７４と終了日時５３７５にはコミュニティ所有者Ａ氏が該カテゴリ「挙式」に所属させたい画像の期間（撮影開始日時「２００６／１１／３  １３：００」と撮影終了日時「２００６／１１／３  １３：２９」）が登録される。
この場合、カテゴリ「挙式」には、「ＡＢＣコミュニティ」に登録された全画像のうち、画像付帯情報管理テーブルの写真の撮影日５３６６が「２００６／１１／３  １３：００」から「２００６／１１／３  １３：２９」までに含まれる全画像（図８の例では、画像ＩＤ５３６１が「Ｉ００１」および「Ｉ００２」の２画像）が所属することとなる。
【００３７】
図１２は、グループ管理テーブルの例を示す図である。
図１２に示すように、グループ管理テーブルは、コミュニティＩＤ５３８１と、グループＩＤ５３８２と、グループ名５３８３と、メンバＩＤ５３８４から構成され、コミュニティを一意に識別するためのＩＤと、グループを一意に識別するためのＩＤと、フォトアルバムサイト利用者が独自に登録するグループ名と、グループメンバを表すユーザＩＤが登録される。
ここで例えば、コミュニティ所有者Ａ氏がＳＮＳ管理端末７にて「ＡＢＣコミュニティ」のグループとして「新郎友人」に友人Ｂ氏を新規登録した場合、図１２に示すように、コミュニティＩＤ５３８１には「ＡＢＣコミュニティ」を表すＩＤ「Ａ００１」、グループＩＤ５３７２にはＳＮＳ管理部５４１が自動発番した管理番号「Ｇ００１」、グループ名５３８３にはコミュニティ所有者Ａ氏がフォトアルバム一覧画面（グループ表示）Ｌ１３に表示するために登録した名称「新郎友人」、メンバＩＤ５３８４にはコミュニティ所有者Ａ氏から招待された友人Ｂ氏を表すユーザＩＤ「Ｕ００２」が登録される。
【００３８】
図１３は、フォトアルバム一覧画面（アルバム表示）Ｌ１１の例を示す図である。
図１３に示すように、フォトアルバム一覧画面（アルバム表示）Ｌ１１は、コミュニティ情報を表示する領域Ｌ１１１と、フォトアルバム一覧を表示する領域Ｌ１１２を有する。
コミュニティ表示領域Ｌ１１１は、コミュニティ管理者がコミュニティの代表画像として登録した画像を表示する領域Ｌ１１３と、コミュニティのコメントを表示する領域Ｌ１１４を有する。
フォトアルバム一覧表示領域Ｌ１１２は、オーナー単位でフォトアルバムを表示する領域であり、フォトアルバムの代表画像を表示する領域Ｌ１１５と、表示するアルバムを切り替える「前のアルバム」および「次のアルバム」リンクＬ１１６と、フォトアルバムの表示方法を切り替える「表示方法切替」リンクＬ１１７を有する。
「表示方法切替」リンクＬ１１７は、本画面Ｌ１１と以降に説明するフォトアルバム一覧画面（カテゴリ表示）Ｌ１２、フォトアルバム一覧画面（グループ表示）Ｌ１３の間で表示方法を切り替えるためのボタンまたはリンクであり、「アルバム」、「カテゴリ」、「グループ」から構成される。
ここで例えば、「ＡＢＣコミュニティ」のフォトアルバム一覧画面（アルバム表示）に遷移した場合は、コミュニティ代表画像表示領域Ｌ１１３にはコミュニティ管理テーブルの代表画像ＩＤ５３３５に登録された画像ＩＤ「Ｉ００１」のサムネイル画像、コミュニティのコメント表示領域Ｌ１１４にはコミュニティ管理テーブルのコメント５３３６に登録された文字列「ＡＡＡＡＡ」、フォトアルバム代表画像表示領域Ｌ１１５にはＡ氏（ユーザＩＤ「Ｕ００１」）のアルバム（アルバムＩＤ「Ｍ００１」）のうち、画像表示部５２１にて最初に抽出された画像（例えば、Ｉｍａｇｅ００１．ｊｐｇ）のサムネイル画像が表示される。また、画像閲覧者が「表示方法切替」リンクＬ１１７の構成要素である「カテゴリ」リンクを押下した場合は、フォトアルバム一覧画面（カテゴリ表示）Ｌ１２に表示が切り替わる。
【００３９】
図１４は、フォトアルバム一覧画面（カテゴリ表示）の例を示す図である。
図１４に示すように、フォトアルバム一覧画面（カテゴリ表示）Ｌ１２は、フォトアルバム一覧画面（アルバム表示）Ｌ１１と同様に、コミュニティ情報を表示する領域Ｌ１２１と、フォトアルバム一覧を表示する領域Ｌ１２２を有する。フォトアルバム一覧画面（アルバム表示）Ｌ１１と異なる点は、フォトアルバム一覧表示領域Ｌ１２２はカテゴリ単位でフォトアルバムを表示するところである。
ここで例えば、「ＡＢＣコミュニティ」のフォトアルバム一覧画面（カテゴリ表示）に遷移した場合は、フォトアルバム一覧表示領域Ｌ１２２のカテゴリ「挙式」代表画像には、画像付帯情報管理テーブルの写真の撮影日５３６６が「２００６／１１／３  １３：００」から「２００６／１１／３  １３：２９」までの期間に含まれる画像（画像ＩＤ「Ｉ００１」および「Ｉ００２」の２画像）のうち、画像表示部５２１にて最初に抽出された画像（例えば、Ｉｍａｇｅ００２．ｊｐｇ）のサムネイル画像が表示される。
【００４０】
図１５は、フォトアルバム一覧画面（グループ表示）の例を示す図である。
図１５に示すように、フォトアルバム一覧画面（グループ表示）Ｌ１３は、フォトアルバム一覧画面（アルバム表示）Ｌ１１と同様に、コミュニティ情報を表示する領域Ｌ１３１と、フォトアルバム一覧を表示する領域Ｌ１３２を有する。フォトアルバム一覧画面（アルバム表示）Ｌ１１と異なる点は、フォトアルバム一覧表示領域Ｌ１３２はグループ単位でフォトアルバムを表示するところである。
ここで例えば、「ＡＢＣコミュニティ」のフォトアルバム一覧画面（グループ表示）に遷移した場合は、フォトアルバム一覧表示領域Ｌ１３２のグループ「新郎友人」代表画像には、画像管理テーブルの画像所有者ＩＤ５３５３が「Ｕ００１」または「Ｕ００２」の画像のうち、画像表示部５２１にて最初に抽出された画像（例えば、Ｉｍａｇｅ００３．ｊｐｇ）のサムネイル画像が表示される。
【００４１】
図１６は、画像一覧画面の例を示す図である。
図１６に示すように、画像一覧画面Ｌ１４は、ゲストがフォトアルバム一覧画面（アルバム表示）Ｌ１１、フォトアルバム一覧画面（カテゴリ表示）Ｌ１２、またはフォトアルバム一覧画面（グループ表示）Ｌ１３に表示されるフォトアルバムＬ１１２から１つのアルバムを選択した場合に、その選択アルバム内の画像を一覧表示する画面である。この画像一覧画面Ｌ１４は、フォトアルバム内の画像をサムネイル表示する領域Ｌ１４１と、撮影者、撮影日、コメントなどの画像付帯情報管理テーブルにて管理されたデータを表示する領域Ｌ１４２を有する。
【００４２】
図１７は、画像拡大表示画面の例を示す図である。
図１７に示すように、画像拡大表示画面Ｌ１５は、ゲストが画像一覧画面Ｌ１４に表示される画像Ｌ１４１から１つの画像を選択した場合に、その選択画像を拡大表示する画面である。
この画像拡大表示画面Ｌ１５は、拡大表示画像の表示領域Ｌ１５１と、撮影者、撮影日、ファイル名、サイズ、カメラメーカ、カメラモデル、著作権、コメントなどの画像付帯情報管理テーブルにて管理されたデータを表示する領域Ｌ１５２と、オリジナル画像を画像閲覧端末６にダウンロードするための「ダウンロード」ボタンＬ１５３と、プリント注文するためにプリント注文サイトに画像情報を送信するための「プリント注文」ボタンＬ１５４と、表示画像を切り替えるための「前の画像」および「次の画像」リンクを有する。
【図面の簡単な説明】
【００４３】
【図１】本発明の一実施の形態例を示すシステム構成図である。
【図２】画像登録端末の例を示すブロック図である。
【図３】フォトアルバムサイトの例を示すブロック図である。
【図４】コミュニティ管理テーブルの例を示す図である。
【図５】記録媒体ＩＤ管理テーブルの例を示す図である。
【図６】アルバム管理テーブルの例を示す図である。
【図７】画像管理テーブルの例を示す図である。
【図８】画像付帯情報管理テーブルの例を示す図である。
【図９】画像登録フローチャート図である。
【図１０】記録媒体ＩＤの照合処理フローチャート図である。
【図１１】カテゴリ管理テーブルの例を示す図である。
【図１２】グループ管理テーブルの例を示す図である。
【図１３】フォトアルバム一覧画面（アルバム表示）の例を示す図である。
【図１４】フォトアルバム一覧画面（カテゴリ表示）の例を示す図である。
【図１５】フォトアルバム一覧画面（グループ表示）の例を示す図である。
【図１６】画像一覧画面の例を示す図である。
【図１７】画像拡大表示画面の例を示す図である。
【符号の説明】
【００４４】
１…画像撮影端末
２…ＩＤ機能付記録媒体
３…画像登録端末
４…インターネット
５…フォトアルバムサイト
６…画像閲覧端末
７…ＳＮＳ管理端末
８…オンラインプリントサイト
【図１】
2008197968.tif 000003
【図２】
2008197968.tif 000004
【図３】
2008197968.tif 000005
【図４】
2008197968.tif 000006
【図５】
2008197968.tif 000007
【図６】
2008197968.tif 000008
【図７】
2008197968.tif 000009
【図８】
2008197968.tif 000010
【図９】
2008197968.tif 000011
【図１０】
2008197968.tif 000012
【図１１】
2008197968.tif 000013
【図１２】
2008197968.tif 000014
【図１３】
2008197968.tif 000015
【図１４】
2008197968.tif 000016
【図１５】
2008197968.tif 000017
【図１６】
2008197968.tif 000018
【図１７】
2008197968.tif 000019